【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
コールのセッションの中で映像をサポートするようコンフィギュアされたマルチメディア装置であって、
1個以上のメディア供給装置と、
前記1個以上のメディア供給装置のための初期化過程を実行する初期化手段と、
セッションセットアップ手続に従ってセッションのための1個以上のプリファレンスを搬送するプリファレンス搬送手段と、
前記1個以上のメディア供給装置に連結された1個以上のメディアプロセッサと、
セッションと関連する前記1個以上のメディアチャネル上でメディアを搬送するメディア搬送手段と、
を備え、
前記初期化手段は、前記初期化過程を、
（ａ）前記マルチメディア装置がコールを初期化する場合であれば、コールされる方の装置からのコール受け入れのしるしを受信することに関連する受信時間より前または実質的に同時の第1の時間、
（ｂ）前記マルチメディア装置がコールを受信する場合であれば、当該マルチメディア装置によるコール受け入れに関連する受け入れ時間より前または実質的に同時の第2の時間、
のいずれかの時間より前、または実質的に同時の初期化時間に実行する、
マルチメディア装置。
【請求項２】
前記マルチメディア装置は、3G-324M系の装置を備える、
請求項1に記載のマルチメディア装置。
【請求項３】
前記マルチメディア装置は、コールを初期化する、
請求項1に記載のマルチメディア装置。
【請求項４】
前記第1の時間は、コール初期化の時間に実質的に等しい、
請求項3に記載のマルチメディア装置。
【請求項５】
前記第1の時間は、前記マルチメディア装置のユーザがコールボタンを押す時間に実質的に等しい、
請求項3に記載のマルチメディア装置。
【請求項６】
前記第1の時間は、セットアップメッセージを搬送する時間に実質的に等しい、
請求項3に記載のマルチメディア装置。
【請求項７】
前記第1の時間は、報知メッセージを受信する時間、または接続メッセージを受信する時間に実質的に等しい、
請求項3に記載のマルチメディア装置。
【請求項８】
前記マルチメディア装置は、コールを受信する、
請求項1に記載のマルチメディア装置。
【請求項９】
前記第2の時間は、前記マルチメディア装置のユーザが返答ボタンを押す時間に実質的に等しい、
請求項８に記載のマルチメディア装置。
【請求項１０】
前記第2の時間は、報知メッセージを搬送する時間、または、接続メッセージを搬送する時間に実質的に等しい、
請求項８に記載のマルチメディア装置。
【請求項１１】
前記第2の時間は、セットアップメッセージが受信された時間に実質的に等しい、
請求項８に記載のマルチメディア装置。
【請求項１２】
前記1個以上のメディア供給装置は、1個以上のメディアキャプチャ装置である、
請求項1に記載のマルチメディア装置。
【請求項１３】
前記1個以上のメディアキャプチャ装置は、映像キャプチャ装置または、音声キャプチャ装置を備える、
請求項12に記載のマルチメディア装置。
【請求項１４】
前記1個以上のメディアキャプチャ装置は、音声キャプチャ装置と映像キャプチャ装置とを含む2個のメディアキャプチャ装置を備える、
請求項12に記載のマルチメディア装置。
【請求項１５】
前記1個以上のメディアプロセッサは、1個以上のメディア符号化機を備える、
請求項1に記載のマルチメディア装置。
【請求項１６】
前記1個以上のメディア符号化機は、あるメディアタイプのための2個以上のメディア符号化機である、
請求項15に記載のマルチメディア装置。
【請求項１７】
前記1個以上のメディア符号化機は、コールのためのベアラを確立することに関連する時間の前に、又は実質的に同じ時間に、初期化される、
請求項15に記載のマルチメディア装置。
【請求項１８】
1個以上のメディア出力装置と、
該1個以上のメディア出力装置に連結された1個以上のメディア復号機と、
をさらに備える、
請求項15に記載のマルチメディア装置。
【請求項１９】
前記1個以上のメディア出力装置は、音声プレイバック装置を備える、
請求項18に記載のマルチメディア装置。
【請求項２０】
前記1個以上のメディア出力装置は、音声プレイバック装置と映像表示装置とを含む2個以上のメディア出力装置である、
請求項18に記載のマルチメディア装置。
【請求項２１】
前記1個以上のメディア復号機は、あるメディアタイプのための2個以上のメディア復号機である、
請求項18に記載のマルチメディア装置。
【請求項２２】
前記初期化時間は、コールのためのベアラを確立する時間よりも前である、
請求項1に記載のマルチメディア装置。
【請求項２３】
前記セッションセットアップ手続は、マルチプレクサレベルセットアップフェーズの間又はその前の、ベアラ上のセッションセットアップ搬送を利用する、ベアラに基礎を置いたセッションセットアップ手続である、
請求項1に記載のマルチメディア装置。
【請求項２４】
1個以上のメディアチャネル上でメディアを搬送する際に、H.223マルチプレクサを利用する、
請求項1に記載のマルチメディア装置。
【請求項２５】
1個以上のメディアチャネル上でメディアを搬送する際に、フレームフラグエミュレーション回避技術を利用する、
請求項1に記載のマルチメディア装置。
【請求項２６】
前記1個以上のメディアチャネルは、1個以上のあらかじめコンフィギュアされたメディアチャネルである、
請求項1に記載のマルチメディア装置。
【請求項２７】
コールのセッションの中で映像をサポートするようコンフィギュアされたマルチメディア装置であって、
1個以上のメディア供給装置と、
前記1個以上のメディア供給装置に連結された1個以上のメディアプロセッサと、
前記１個以上のメディアプロセッサを初期化する初期化手段と、
セッションセットアップ手続に従ってセッションのための1個以上のプリファレンスを搬送するプリファレンス搬送手段と、
セッションと関連する1個以上のメディアチャネル上でメディアを搬送するよう方向付けられたメディア搬送手段と、
を備え、
前記初期化手段は、前記初期化を、
（ａ）前記マルチメディア装置がコールを初期化する場合であれば、コールされる方の装置からのコール受け入れのしるしを受信することに関連する受信時間より前または実質的に同時の第1の時間、
（ｂ）前記マルチメディア装置がコールを受信する場合であれば、前記マルチメディア装置によるコール受け入れに関連する受け入れ時間より前または実質的に同時の第2の時間、
のいずれかの時間より前、または実質的に同時の初期化時間に実行する、
マルチメディア装置。
【請求項２８】
コールのセッションの中で映像をサポートするようコンフィギュアされたマルチメディア装置であって、
1個以上のメディア出力装置と、
前記1個以上のメディア出力装置に連結された1個以上のメディアプロセッサと、
前記１個以上のメディアプロセッサを初期化する初期化手段と、
セッションセットアップ手続に従ってセッションのための1個以上のプリファレンスを搬送するプリファレンス搬送手段と、
セッションと関連する1個以上のメディアチャネル上でメディアを受信する受信手段と、
を備え、
前記初期化手段は、前記初期化を、
（ａ）前記マルチメディア装置がコールを初期化する場合であれば、コールされる方の装置からのコール受け入れのしるしを受信することに関連する受信時間より前または実質的に同時の第1の時間、
（ｂ）前記マルチメディア装置がコールを受信する場合であれば、前記マルチメディア装置によるコール受け入れに関連する受け入れ時間より前または実質的に同時の第2の時間、
のいずれかの時間より前、または実質的に同時の初期化時間に実行する、
マルチメディア装置。
【請求項２９】
マルチメディア装置は、3G-324M系の装置を備える、請求項28に記載のマルチメディア装置。
【請求項３０】
前記1個以上のメディアプロセッサは、1個以上のメディア復号機である、
請求項28に記載のマルチメディア装置。
【請求項３１】
前記1個以上のメディア復号機は、あるメディアタイプのための2個以上のメディア復号機である、
請求項30に記載のマルチメディア装置。
【請求項３２】
前記2個以上のメディア復号機は、1個以上のプリファレンスと関連する全てのメディア復号機を含む、
請求項31に記載のマルチメディア装置。
【請求項３３】
前記1個以上のメディア復号機は、第1のメディアタイプのための1個以上のメディア復号機と第2のメディアタイプのための1個以上のメディア復号機とである、
請求項28に記載のマルチメディア装置。
【請求項３４】
前記マルチメディア装置は、コールを初期化する、
請求項28に記載のマルチメディア装置。
【請求項３５】
前記第1の時間は、コール初期化の時間に実質的に等しい、
請求項34に記載のマルチメディア装置。
【請求項３６】
前記マルチメディア装置は、コールを受信する、
請求項28に記載のマルチメディア装置。
【請求項３７】
前記第2の時間は、セットアップメッセージが受信される時間に実質的に等しい、
請求項36に記載のマルチメディア装置。
【請求項３８】
コールのセッションの中で映像をサポートするようコンフィギュアされたマルチメディア基盤装置であって、
1個以上のメディア受信ポートと、
前記1個以上のメディア受信ポートに連結された1個以上のメディアプロセッサと、
前記１個以上のメディアプロセッサを初期化する初期化手段と、
セッションセットアップ手続に従ってセッションのための1個以上のプリファレンスを搬送するプリファレンス搬送手段と、
セッションと関連する1個以上のメディアチャネル上でメディアを搬送するメディア搬送手段と、
を備え、
前記初期化手段は、前記初期化を、
（ａ）前記マルチメディア基盤装置がコールを初期化する場合であれば、コールされる方の装置からのコール受け入れのしるしを受信することに関連する受信時間より前または実質的に同時の第1の時間、
（ｂ）前記マルチメディア基盤装置がコールを受信する場合であれば、前記マルチメディア基盤装置によるコール受け入れに関連する受け入れ時間より前または実質的に同時の第2の時間、
のいずれかの時間より前、または実質的に同時の初期化時間に実行する、
マルチメディア基盤装置。
【請求項３９】
前記マルチメディア基盤装置は、3G-324M系の基盤装置、または3G-324M系のゲートウェイを備える、請求項38に記載のマルチメディア基盤装置。
【請求項４０】
前記1個以上のメディアプロセッサは、1個以上のメディア符号化機を備える、
請求項38に記載のマルチメディア基盤装置。
【請求項４１】
前記1個以上のメディアプロセッサは、1個以上のメディア符号翻訳機を備える、
請求項38に記載のマルチメディア基盤装置。
【請求項４２】
前記マルチメディア基盤装置は、コールを初期化する、
請求項38に記載のマルチメディア基盤装置。
【請求項４３】
前記第１の時間は、コール初期化の時間に実質的に等しい、
請求項42に記載のマルチメディア基盤装置。
【請求項４４】
前記マルチメディア基盤装置は、コールを受信する、
請求項38に記載のマルチメディア基盤装置。
【請求項４５】
前記第2の時間は、セットアップメッセージが受信される時間に実質的に等しい、
請求項44に記載のマルチメディア基盤装置。
【請求項４６】
コールのセッションの中で映像をサポートするようコンフィギュアされたマルチメディア基盤装置であって、
1個以上のメディア搬送ポートと、
前記1個以上のメディア搬送ポートに連結された1個以上のメディアプロセッサと、
前記1個以上のメディアプロセッサを初期化する初期化手段と、
セッションセットアップ手続に従ってセッションのための1個以上のプリファレンスを搬送するプリファレンス搬送手段と、
セッションと関連する1個以上のメディアチャネル上でメディアを受信する受信手段と、
を備え、
前記初期化手段は、前記初期化を、
（ａ）前記マルチメディア基盤装置がコールを初期化する場合であれば、コールされる方の装置からのコール受け入れのしるしを受信することに関連する受信時間より前または実質的に同時の第1の時間、
（ｂ）前記マルチメディア基盤装置がコールを受信する場合であれば、前記マルチメディア基盤装置によるコール受け入れに関連する受け入れ時間より前または実質的に同時の第2の時間、
のいずれかの時間より前、または実質的に同時の初期化時間に実行する、
マルチメディア基盤装置。
【請求項４７】
前記マルチメディア基盤装置は、3G-324M系の基盤装置、または、3G-324M系のゲートウェイを備える、請求項46に記載のマルチメディア基盤装置。
【請求項４８】
前記1個以上のメディアプロセッサは、1個以上のメディア復号機又は1個以上のメディア符号化機を備える、
請求項46に記載のマルチメディア基盤装置。
【請求項４９】
前記1個以上のメディアプロセッサは、1個以上のメディア符号翻訳機を備える、
請求項46に記載のマルチメディア基盤装置。
【請求項５０】
セッションと関連する第2の1個以上のメディアチャネル上でメディアを搬送するよう方向付けられた1個以上のコンピュータコードをさらに備える、
請求項46に記載のマルチメディア基盤装置。
【請求項５１】
セッションセットアップ手続に従ってセッションのための第2の1個以上のプリファレンスを受信した後に、メディアを搬送することが起こる、
請求項50に記載のマルチメディア基盤装置。
【請求項５２】
前記マルチメディア基盤装置は、コールを初期化する、
請求項46に記載のマルチメディア基盤装置。
【請求項５３】
前記第1の時間は、コール初期化の時間に実質的に等しい、
請求項52に記載のマルチメディア基盤装置。
【請求項５４】
前記マルチメディア基盤装置は、コールを受信する、請求項46に記載のマルチメディア基盤装置。
【請求項５５】
前記第2の時間は、セットアップメッセージが受信される時間に実質的に等しい、
請求項54に記載のマルチメディア基盤装置。